(57)【特許請求の範囲】
【請求項１】
左右一対のカップ部を備えるカップ付き女性用衣類であって、
前記左右一対のカップ部は、
前記カップ部の下縁部に設けられたカップワイヤ部と、
バストトップに対応するバストトップ領域よりも下側において、上辺の少なくとも一部が遊端をなすように前記上辺の両端部分が前記カップ部に取り付けられ、且つ、前記カップ部の前中心側と脇側とを結ぶように設けられた保形布と、
前記保形布よりも肌側であって前記遊端に重なるように設けられ、前中心側と脇側とを結ぶ方向の幅が前記保形布よりも狭く形成され、且つ、前記保形布よりも前記バストトップ領域に近接するように前記カップワイヤ部に取り付けられた片持ち押圧片と
をそれぞれ有し、
着用状態において前記片持ち押圧片が前記カップ部側に付勢されたときに、前記遊端部周辺が前中心側と脇側とを結ぶ方向に突っ張ることによって、前記片持ち押圧片の付勢力に抗するように前記保形布が形成されていることを特徴とするカップ付き女性用衣類。
【請求項２】
前記片持ち押圧片は前中心寄りに位置している、請求項１に記載されたカップ付き女性用衣類。
【請求項３】
前記片持ち押圧片は、前記バストトップ領域の鉛直下方に位置していることを特徴とする、請求項１又は２に記載されたカップ付き女性用衣類。
【請求項４】
前記片持ち押圧片は、非着用状態において背側から腹側に向かう方向から見たときに、前記保形布の前記遊端の全長の１／２以下と重なり合っていることを特徴とする、請求項１〜３のいずれか一項に記載されたカップ付き女性用衣類。
【請求項５】
前記片持ち押圧片は、非着用状態において背側から腹側に向かう方向から見たときに、前記保形布の前記遊端の全長の１／３以下と重なり合っていることを特徴とする、請求項４に記載されたカップ付き女性用衣類。
【請求項６】
前記保形布の前記遊端のうち前中心から離れた側の端点は、非着用状態において背側から腹側に向かう方向から見たときに、前記保形布の前記遊端のうち前中心側の端点よりも上方に位置していることを特徴とする、請求項１〜５のいずれか一項に記載されたカップ付き女性用衣類。
【発明の詳細な説明】
【技術分野】
【０００１】
本発明は、カップ付き女性用衣類に関する。
【背景技術】
【０００２】
ブラジャー等のカップ付き女性用衣類においては、乳房（バスト）を包み保護する機能のみならず、乳房の形状を保持、造形する機能をも有することが期待されている。このような女性用衣類として、例えば下記特許文献１には、乳房を収納するカップ部を備え、バスト保持シートがカップ部に設けられており、バスト保持シートは、非伸縮性の材料により作成され、バストトップを避けると共にバストトップの下方に位置するように配置されているブラジャーが記載されている。
【０００３】
このブラジャーによれば、着用状態において、バストトップがバスト保持シートによって押さえつけられるようなことがなく、乳房の下部をバスト保持シートによって全体的に包み込みながら乳房をバスト保持シートによって持ち上げつつ支えることができる乳房バストの下垂が防止され、理想的なバストラインの造形が図られる。
【特許文献１】特開２００４−０６８２０７号公報
【発明の開示】
【発明が解決しようとする課題】
【０００４】
ところで、近年では、左右の乳房間の谷間を感じることができるバスト造形が好まれており、特に乳房のボリュームが上胸に集まりつつ、胸骨の中点付近に深くて大きな谷間が形成されるものが望まれている。しかしながら、上記特許文献１に記載されたブラジャーでは、バスト保持シートによって単に乳房を下から保持するのみであり、左右の乳房間に豊かな谷間が形成されるまでには至らない場合があった。
【０００５】
そこで、本発明は、乳房の下垂と脇流れを補整しつつ、左右の乳房間に豊かな谷間を形成することが可能なカップ付き女性用衣類を提供することを目的とする。
【課題を解決するための手段】
【０００６】
本発明に係るカップ付き女性用衣類は、左右一対のカップ部を備えるカップ付き女性用衣類であって、左右一対のカップ部は、カップワイヤ部と、保形布と、片持ち押圧片とをそれぞれ有することを特徴とする。カップワイヤ部は、カップ部の下縁部に設けられている。保形布は、カップ部内面のバストトップに対応するバストトップ領域とカップワイヤ部との間に、バストトップ領域に近接する端部が遊端をなすように縫着されている。片持ち押圧片は、保形布を挟んでカップ部に面し、保形布の遊端を含む領域と当接するように前中心近傍のカップワイヤ部に支持されている。ここで、カップ部内面とは、肌側の面である。
【０００７】
これにより、着用者が本発明に係るカップ付き女性用衣類を着用する際、片持ち押圧片が着用者の乳房によって背側から腹側に向かう方向に押し出さる。このとき、片持ち押圧片は、前中心近傍に設けられた保形布に押圧されるため、保形布のうち片持ち押圧片と当接していない部分が前中心側に引っ張られ、カップ部の脇側についても、前中心側に引っ張られる。従って、着用者が本発明に係るカップ付き女性用衣類を着用すると、乳房がカップ部によって自然に前中心側に寄せられる。この結果、乳房の下垂と脇流れを補整しつつ、左右の乳房間に豊かな谷間を形成することが可能となる。
【０００８】
好ましくは、片持ち押圧片は、カップ部におけるバストトップに対応する領域の鉛直下方に位置している。このようにすると、着用者が本発明に係るカップ付き女性用衣類を着用する際、片持ち押圧片が着用者の乳房によって確実に押し出されることとなる。
【０００９】
好ましくは、片持ち押圧片は、非着用状態において背側から腹側に向かう方向から見たときに、保形布の遊端の全長の１／２以下と重なり合っている。このようにすると、片持ち押圧片が保形布を押圧することにより生じる、保形布がカップ部の脇側を引っ張る力をより大きくすることができる。そのため、乳房の下垂と脇流れを補整しつつ、左右の乳房間に豊かな谷間を形成する効果がより顕著となる。
【００１０】
より好ましくは、片持ち押圧片は、非着用状態において背側から腹側に向かう方向から見たときに、保形布の遊端の全長の１／３以下と重なり合っている。このようにすると、片持ち押圧片が保形布を押圧することにより生じる、保形布がカップ部の脇側を引っ張る力をより一層大きくすることができる。そのため、乳房の下垂と脇流れを補整しつつ、左右の乳房間に豊かな谷間を形成する効果がより一層顕著となる。
【００１１】
好ましくは、保形布の遊端のうち前中心から離れた側の端点は、非着用状態において背側から腹側に向かう方向から見たときに、保形布の遊端のうち前中心側の端点よりも上方に位置している。このようにすると、片持ち押圧片が保形布を押圧することにより生じる、保形布がカップ部の脇側を引っ張る力をより大きくすることができる。そのため、乳房の下垂と脇流れを補整しつつ、左右の乳房間に豊かな谷間を形成する効果がより顕著となる。
【発明の効果】
【００１２】
本発明によれば、乳房の下垂と脇流れを補整しつつ、左右の乳房間に豊かな谷間を形成することが可能なカップ付き女性用衣類を提供することができる。
【発明を実施するための最良の形態】
【００１３】
本発明に係るカップ付き女性用衣類の好適な実施形態について、図面を参照して説明する。なお、以下では、カップ付き女性用衣類として、肩ストラップのないストラップレスタイプのブラジャー１を例にとって説明している。
【００１４】
ブラジャー１は、図１及び図２に示されるように、一対のカップ部１０と、一対のカップワイヤ部１２と、一対のバック部１４と、ホック（図示せず）とを備える。
【００１５】
一対のカップ部１０は、着用者の乳房を収容するものであり、着用状態において背側から腹側に向けて突出する椀形状を呈している。一対のカップ部１０は、前中心の左右両側に配置されており、前中心布１６を介して連結されている。
【００１６】
各カップ部１０は、例えば、一定の厚みを有すると共に保形性及び弾力性を有する、連続気泡樹脂である発泡ポリウレタンや不織布によるシート材を肌側に用いることができる。各カップ部１０におけるシート材の厚みは、例えば２ｍｍ〜７ｍｍ程度に設定することができる。
【００１７】
各カップワイヤ部１２は、円弧状を呈しており、各カップ部１０の下縁部にそれぞれ配置されている。各カップワイヤ部１２は、ブラジャー１の保形性を高めると共にバストシルエットを維持するために、例えば形状記憶合金や樹脂によって構成することができる。各バック部１４は、帯状を呈しており、カップ部１０の両脇側に連結され且つ着用状態において背側に延びている。
【００１８】
ここで、図２及び図３を参照して、カップ部１０の詳細について説明する。なお、一対のカップ部１０は前中心に関してほぼ対称であるので、以下では左側のカップ部１０について述べ、右側のカップ部１０についてはその説明を省略する。
【００１９】
カップ部１０は、前中心側に位置する第１下カップ部１０ａと、脇側に位置する第２下カップ部１０ｂと、上カップ部１０ｃとを有する。第１下カップ部１０ａと第２下カップ部１０ｂとは、第１下カップ部１０ａの脇側における外縁と第２下カップ部１０ｂの前中心側における外縁とが接ぎテープ１８ａを介して縫着されることで、一体化されている。第１下カップ部１０ａと上カップ部１０ｃとは、第１下カップ部１０ａの上側における外縁と上カップ部１０ｃの下側における外縁とが接ぎテープ１８ｂを介して縫着されることで、一体化されている。第２下カップ部１０ｂと上カップ部１０ｃとは、第２下カップ部１０ｂの上側における外縁と上カップ部１０ｃの下側における外縁とが接ぎテープ１８ｂを介して縫着されることで、一体化されている。
【００２０】
カップ部１０には、背側から腹側に向かう方向におけるカップ部１０及びカップワイヤ部１２の変形を抑制するための保形布２０が、肌側に設けられている。保形布２０は、例えばマーキゼットのような非伸縮性又は難伸縮性の素材によって構成されている。
【００２１】
保形布２０の上縁は、ブラジャー１を背側から腹側に向かう方向から見たときに直線状を呈しており、カップ部１０に縫着されておらず、遊端とされている。この遊端は、図３に示されるように、非着用状態においてカップ部１０と離間した状態とされている。
【００２２】
遊端の脇側における端点（脇側における、保形布２０の上縁と接ぎテープ１８ｂとの交点）Ｑは、非着用状態において背側から腹側に向かう方向から見たときに、前中心側における端点（前中心側における、保形布２０の上縁と接ぎテープ１８ｂとの交点）Ｐよりも上方に位置している（図２参照）。非着用状態における保形布２０の遊端の直線距離、すなわち、点Ｐと、点Ｑとの非着用状態における直線距離Ｌ１（図３参照）は、保形布２０の遊端が背側から腹側に向かう方向においてカップ部１０に投影された、点Ｐと点Ｑとを結ぶ曲線のカップ部１０の内面に沿った長さＬ２（図３参照）の０．８倍〜０．９倍程度（本実施形態においては０．８５倍程度）に設定することができる。
【００２３】
保形布２０の下縁は、カップ部１０の下縁に沿う形状とされており、カップ部１０の下縁に沿うようにカップ部１０と縫着されている。保形布２０の両側縁は、それぞれが接ぎテープ１８ｂに沿う形状とされており、接ぎテープ１８ｂに沿うように接ぎテープ１８ｂを介してカップ部１０と縫着されている。
【００２４】
また、カップ部１０には、保形布２０を背側から腹側に向けて押圧するための片持ち押圧片２２が、保形布２０よりも肌側に設けられている。片持ち押圧片２２は、前中心寄りで且つカップ部１０におけるバストトップに対応する領域Ｒ（図２参照）の鉛直下方に位置している。
【００２５】
片持ち押圧片２２は、その上部が半円形状とされたいわゆる舌片形状を呈している。このように、片持ち押圧片２２が丸みを帯びた形状とすることで、着用者の乳房が片持ち押圧片２２に当接した際のフィット感が高められている。片持ち押圧片２２は、カップ部１０と同じく、例えば、一定の厚みを有すると共に保形性及び弾力性を有する、連続気泡樹脂である発泡ポリウレタンや不織布によるシート材を用いることができ、所定の厚み（例えば２ｍｍ〜７ｍｍ程度）を有している。
【００２６】
片持ち押圧片２２における下縁は、カップ部１０の下端近傍と縫着されている。これにより、片持ち押圧片２２がカップ部１０に対して片持ち状態となる。
【００２７】
片持ち押圧片２２における上縁は、保形布２０の遊端のうち少なくとも一部を超えて上方に位置している（図２及び図３参照）。これにより、非着用状態において背側から腹側に向かう方向から見たときに、保形布２０の遊端のうち少なくとも一部が、片持ち押圧片２２と重なり合った状態となる。
【００２８】
ここで、片持ち押圧片２２は、非着用状態において背側から腹側に向かう方向から見たときに、保形布２０の遊端の全長の１／２以下と重なり合っていると好ましく、保形布２０の遊端の全長の１／３以下と重なり合っているとより好ましい。片持ち押圧片２２が、非着用状態において背側から腹側に向かう方向から見たときに、保形布２０の遊端の全長の１／２を超えて重なり合っていると、保形布２０によってカップ部１０の脇側を前中心側に引っ張る作用が弱くなってしまう傾向にある。
【００２９】
以上のような本実施形態においては、保形布２０がカップ部１０の肌側に設けられていると共に、片持ち押圧片２２がカップ部１０の保形布２０よりも肌側で且つ前中心寄りに設けられている。また、本実施形態においては、保形布２０における上縁が直線状を呈する遊端とされ、保形布２０における両側縁及び下縁がカップ部と縫着されることにより、非着用状態において遊端がカップ部１０と離間した状態とされている。さらに、本実施形態においては、片持ち押圧片２２における下縁がカップ部１０の下端近傍と接合され、片持ち押圧片２２における上縁が保形布２０の遊端のうち少なくとも一部を超えて上方に位置している。そのため、着用者が本実施形態に係るブラジャー１を着用する際、片持ち押圧片２２が着用者の乳房によって背側から腹側に向かう方向に押し出さる（図４の矢印Ａ参照）。
【００３０】
このとき、片持ち押圧片２２の上縁が保形布の遊端のうち少なくとも一部を超えて上方に位置していることから、保形布２０のうち、主として、非着用状態において背側から腹側に向かう方向で見たときに片持ち押圧片と保形布とが重なり合っている部分（遊端を含む）が、片持ち押圧片２２によって背側から腹側に向かう方向に押圧される。そして、保形布２０の上縁が直線状を呈する遊端とされ、非着用状態において遊端がカップ部１０と離間した状態とされていることから、保形布２０のうち、主として、非着用状態において背側から腹側に向かう方向で見たときに片持ち押圧片２２と保形布２０とが重なり合っていない部分が、保形布２０側、すなわち、前中心側に引っ張られる（図４の矢印Ｂ参照）。これにより、カップ部１０の脇側についても、前中心側に引っ張られる（図４の矢印Ｃ参照）。
【００３１】
従って、着用者が本実施形態に係るブラジャー１を着用すると、自身の乳房がカップ部１０に作用することで、乳房がカップ部１０によって自然に前中心側に寄せられることとなる。その結果、乳房の下垂と脇流れを補整しつつ、左右の乳房間に豊かな谷間を形成することが可能となる。
【００３２】
また、本実施形態においては、片持ち押圧片２２が、カップ部１０におけるバストトップに対応する領域Ｒの鉛直下方に位置している。そのため、着用者が本実施形態に係るブラジャー１を着用する際、片持ち押圧片２２が着用者の乳房によって確実に押し出されることとなる。
【００３３】
また、本実施形態においては、保形布２０の遊端のうち前中心から離れた側の端点Ｑが、非着用状態において背側から腹側に向かう方向から見たときに、保形布２０の遊端のうち前中心側の端点Ｐよりも上方に位置している。そのため、片持ち押圧片２２が保形布２０を押圧することにより生じる、保形布２０がカップ部１０の脇側を引っ張る力をより大きくすることができる。その結果、乳房の下垂と脇流れを補整しつつ、左右の乳房間に豊かな谷間を形成する効果がより顕著となる。
【００３４】
以上、本発明の好適な実施形態について詳細に説明したが、本発明は上記した実施形態に限定されるものではない。例えば、カップ付き女性用衣類として、肩ストラップのないストラップレスタイプのブラジャー１を例にとって説明したが、これに限られず、勝たすとラップを有するタイプのブラジャーに本発明を適用してもよい。
【００３５】
また、前中心を係脱自在のホックで連結するフロントホック型ブラジャーにも本発明を適用できる。
【００３６】
また、本実施形態では、ファンデーション衣類としてのブラジャーに関するものであるが、ワイヤフォーム型の各種のカップ付き女性用衣類に適用できる。例えば、ブラスリップ、ブラキャミソール、スリーインワン、ボディスーツ、レオタード、水着、カップを内蔵したドレス等が挙げられる。
【図面の簡単な説明】
【００３７】
【図１】図１は、本実施形態に係るカップ付き女性用衣類を示す正面図である。
【図２】図２は、本実施形態に係るカップ付き女性用衣類を示す背面図である。
【図３】図３は、左側のカップを背面側から見た状態を示す斜視図である。
【図４】図４は、着用状態における左側のカップを背面側から見た状態を示す斜視図である。
【符号の説明】
【００３８】
１…ブラジャー、１０…カップ部、１２…カップワイヤ部、１４…バック部、２０…保形布、２２…片持ち押圧片。
【図１】
0005222017.tif 000002
【図２】
0005222017.tif 000003
【図３】
0005222017.tif 000004
【図４】
0005222017.tif 000005